(57)【要約】【課題】夜間のトイレ室の使用時における眩しさを抑えることができる、あるいは光による演出効果を得ることができるトイレ用キャビネットおよびトイレ装置を提供することを目的とする。【解決手段】便器の後方に設置されたトイレ用キャビネットであって、前記便器の上方に設けられた天板と、前方の側から後方の側へ向かって前記天板の上から光を放出する照明装置と、トイレ室への使用者の入室を検知する人体検知手段の検知結果に基づいて前記照明装置を制御する制御部と、を備えたことを特徴とするトイレ用キャビネットが提供される。【選択図】図１
2017000572.tif 000002
【特許請求の範囲】
【請求項１】
便器の後方に設置されたトイレ用キャビネットであって、
前記便器の上方に設けられた天板と、
前方の側から後方の側へ向かって前記天板の上から光を放出する照明装置と、
トイレ室への使用者の入室を検知する人体検知手段の検知結果に基づいて前記照明装置を制御する制御部と、
を備えたことを特徴とするトイレ用キャビネット。
【請求項２】
前記照明装置は、前記天板の前後方向における中央からみて前記便器の側に設けられたことを特徴とする請求項１記載のトイレ用キャビネット。
【請求項３】
前記照明装置は、前記天板の内部または前記天板の下に設けられたことを特徴とする請求項１または２に記載のトイレ用キャビネット。
【請求項４】
前記照明装置は、前記天板の上に設けられたことを特徴とする請求項１または２に記載のトイレ用キャビネット。
【請求項５】
前記天板の少なくとも一部に設けられ、前記照明装置から放出された光を透過させ拡散させる光透過部をさらに備えたことを特徴とする請求項１〜４のいずれか１つに記載のトイレ用キャビネット。
【請求項６】
前記光透過部の上面は、前記天板の上面と同一面に存在することを特徴とする請求項５記載のトイレ用キャビネット。
【請求項７】
前記光透過部は、前記天板よりも上方に設けられたことを特徴とする請求項５記載のトイレ用キャビネット。
【請求項８】
前記便器に供給される洗浄水を貯留するタンクをさらに備え、
前記照明装置は、前記タンクを照らすことが可能であることを特徴とする請求項１〜７のいずれか１つに記載のトイレ用キャビネット。
【請求項９】
前記制御部は、前記照明装置から放出される光の照度および前記照明装置から放出される光の色度の少なくともいずれかを時間帯に応じて変更することを特徴とする請求項１〜８のいずれか１つに記載のトイレ用キャビネット。
【請求項１０】
前記検知結果は、無線信号により前記制御部へ送信されることを特徴とする請求項１〜９のいずれか１つに記載のトイレ用キャビネット。
【請求項１１】
便器と、
請求項１〜１０のいずれか１つに記載のトイレ用キャビネットと、
を備えたことを特徴とするトイレ装置。
【発明の詳細な説明】
【技術分野】
【０００１】
本発明の態様は、一般的に、トイレ用キャビネットおよびトイレ装置に関する。
【背景技術】
【０００２】
従来の考え方のひとつでは、照明装置は、作業性を保持し生活に必要な灯りを得るための器具である。近年、従来の考え方が見直され、照明装置の価値は、暮らしの質や美感を向上させる要素として変化してきている。また、技術の発達によって、例えばトイレ室などのような比較的狭い空間に設置された照明装置に対して、単なる灯りとしての価値だけではなく清掃性や省エネルギーなどの付加価値が求められている（特許文献１）。
【０００３】
天井付近に設置されたひとつの照明装置がトイレ室の全体を照らす場合には、便器等の設備の配置によっては影になる部分が生ずる。影になった部分の汚れを見ることは困難であるため、掃除を行うことが困難であるという問題、あるいはトイレ室を清潔に保つことが困難であるという問題がある。また、トイレ室に影が生ずると、例えば使用者は、足元や手元が暗いため不安を感ずるという問題がある。
【０００４】
しかしながら、トイレ室の全体が明るく照らされるだけでは、例えば夜中にトイレ室を利用する人が眩しさを感じ、その人の眠気が覚めるおそれがある。  
これに対して、トイレキャビネット中段部に設置された照明装置がある（特許文献２）。しかしながら、特許文献２に記載された照明装置は、トイレキャビネットの外側の上方に設置された壁の広い範囲を照らすことができず、トイレキャビネット中段部の内部を照らす。そのため、トイレ室の利用者が感ずる眩しさを抑えるという点、あるいは光による演出効果を得るという点においては、改善の余地がある。
【先行技術文献】
【特許文献】
【０００５】
【特許文献１】特開２００１−１１２６５５号公報
【特許文献２】特開２０１０−１８２６８０号公報
【発明の概要】
【発明が解決しようとする課題】
【０００６】
本発明は、かかる課題の認識に基づいてなされたものであり、夜間のトイレ室の使用時における眩しさを抑えることができる、あるいは光による演出効果を得ることができるトイレ用キャビネットおよびトイレ装置を提供することを目的とする。
【課題を解決するための手段】
【０００７】
第１の発明は、便器の後方に設置されたトイレ用キャビネットであって、前記便器の上方に設けられた天板と、前方の側から後方の側へ向かって前記天板の上から光を放出する照明装置と、トイレ室への使用者の入室を検知する人体検知手段の検知結果に基づいて前記照明装置を制御する制御部と、を備えたことを特徴とするトイレ用キャビネットである。
【０００８】
このトイレ用キャビネットによれば、トイレ用キャビネットの上方に設置された壁の広い範囲を柔らかく照らすことができる。これにより、照明装置とは異なる他の照明装置であって、天井付近に設置された他の照明装置が点灯していなくとも、トイレ用キャビネットは、トイレ用キャビネットの上方に設置された壁の広い範囲に略均一に光を広げ、トイレ室の略全体を間接的に照らすことができる。
【０００９】
これにより、夜間のトイレ室の使用時における眩しさを抑えることができる。そのため、夜中にトイレ室を利用する人の眠気が覚めることを抑えることができる。また、トイレ室の壁の広い範囲に照らされた光により、トイレ室の全体が柔らかく照らされるような間接照明の演出効果を得ることができる。さらに、例えば装飾品などが天板に置かれた場合には、照明装置から放出された光が装飾品に当たる。これにより、より快適なトイレ室の空間を演出することができる。
【００１０】
第２の発明は、第１の発明において、前記照明装置は、前記天板の前後方向における中央からみて前記便器の側に設けられたことを特徴とするトイレ用キャビネットである。
【００１１】
このトイレ用キャビネットによれば、照明装置トイレ室の壁に照らされた光は、照明装置が天板の前後方向における中央からみて壁の側に設けられた場合よりも広がる。そのため、トイレ用キャビネットは、トイレ用キャビネットの上方に設置された壁のより広い範囲を柔らかく照らすことができる。
【００１２】
第３の発明は、第１または２の発明において、前記照明装置は、前記天板の内部または前記天板の下に設けられたことを特徴とするトイレ用キャビネットである。
【００１３】
このトイレ用キャビネットによれば、照明装置が天板の上に出ることを抑えることができる。これにより、トイレ用キャビネットのデザインをすっきりとすることができる。
【００１４】
第４の発明は、第１または２の発明において、前記照明装置は、前記天板の上に設けられたことを特徴とするトイレ用キャビネットである。
【００１５】
このトイレ用キャビネットによれば、照明装置は、より確実に、前方側から後方側へ向かって天板の上から光を放出することができる。そのため、トイレ用キャビネットは、トイレ用キャビネットの上方に設置された壁の広い範囲をより確実に柔らかく照らすことができる。これにより、トイレ用キャビネットは、より確実に、トイレ用キャビネットの上方に設置された壁の広い範囲に略均一に光を広げ、トイレ室の略全体を間接的に照らすことができる。
【００１６】
第５の発明は、第１〜４のいずれか１つの発明において、前記天板の少なくとも一部に設けられ、前記照明装置から放出された光を透過させ拡散させる光透過部をさらに備えたことを特徴とするトイレ用キャビネットである。
【００１７】
このトイレ用キャビネットによれば、光透過部が照明装置から放出された光を透過させ拡散させるため、トイレ用キャビネットの上方に設置された壁の広い範囲をより柔らかく照らすことができる。これにより、トイレ用キャビネットは、トイレ用キャビネットの上方に設置された壁の広い範囲に略均一に光を広げ、トイレ室の略全体を柔らかく間接的に照らすことができる。
【００１８】
第６の発明は、第５の発明において、前記光透過部の上面は、前記天板の上面と同一面に存在することを特徴とするトイレ用キャビネットである。
【００１９】
このトイレ用キャビネットによれば、光透過部の上面が天板の上面と同一面に存在するため、天板の清掃性を向上させることができる。
【００２０】
第７の発明は、第５の発明において、前記光透過部は、前記天板よりも上方に設けられたことを特徴とするトイレ用キャビネットである。
【００２１】
このトイレ用キャビネットによれば、照明装置から放出された光は、より確実に、前方側から後方側へ向かって進行する。そのため、トイレ用キャビネットは、トイレ用キャビネットの上方に設置された壁の広い範囲をより確実に柔らかく照らすことができる。これにより、トイレ用キャビネットは、より確実に、トイレ用キャビネットの上方に設置された壁の広い範囲に略均一に光を広げ、トイレ室の略全体を間接的に照らすことができる。
【００２２】
第８の発明は、第１〜７のいずれか１つの発明において、前記便器に供給される洗浄水を貯留するタンクをさらに備え、前記照明装置は、前記タンクを照らすことが可能であることを特徴とするトイレ用キャビネットである。
【００２３】
このトイレ用キャビネットによれば、洗浄水を貯留するタンクのメンテナンスなどの作業性を向上させることができる。
【００２４】
第９の発明は、第１〜８のいずれか１つの発明において、前記制御部は、前記照明装置から放出される光の照度および前記照明装置から放出される光の色度の少なくともいずれかを時間帯に応じて変更することを特徴とするトイレ用キャビネットである。
【００２５】
このトイレ用キャビネットによれば、光の照度および光の色度の少なくともいずれかが時間に応じて変更されることにより、より上質な空間を演出することができる。
【００２６】
第１０の発明は、第１〜９のいずれか１つの発明において、前記検知結果は、無線信号により前記制御部へ送信されることを特徴とするトイレ用キャビネットである。
【００２７】
このトイレ用キャビネットによれば、配線により見栄えが低下することを抑えることができる。また、大掛かりな工事が必要となることを抑えることができる。
【００２８】
第１１の発明は、便器と、第１〜１０のいずれか１つの発明のトイレ用キャビネットと、を備えたことを特徴とするトイレ装置である。
【００２９】
このトイレ装置によれば、トイレ用キャビネットの上方に設置された壁の広い範囲を柔らかく照らすことができる。これにより、照明装置とは異なる他の照明装置であって、天井付近に設置された他の照明装置が点灯していなくとも、トイレ装置は、トイレ用キャビネットの上方に設置された壁の広い範囲に略均一に光を広げ、トイレ室の略全体を間接的に照らすことができる。
【００３０】
これにより、夜間のトイレ室の使用時における眩しさを抑えることができる。そのため、夜中にトイレ室を利用する人の眠気が覚めることを抑えることができる。また、トイレ室の壁の広い範囲に照らされた光により、トイレ室の全体が柔らかく照らされるような間接照明の演出効果を得ることができる。さらに、例えば装飾品などが天板に置かれた場合には、照明装置から放出された光が装飾品に当たる。これにより、より快適なトイレ室の空間を演出することができる。
【発明の効果】
【００３１】
本発明の態様によれば、夜間のトイレ室の使用時における眩しさを抑えることができる、あるいは光による演出効果を得ることができるトイレ用キャビネットおよびトイレ装置が提供される。
【図面の簡単な説明】
【００３２】
【図１】本実施形態にかかるトイレ装置が設置されたトイレ室を表す模式的斜視図である。
【図２】本実施形態にかかるトイレ装置が設置されたトイレ室を表す模式的平面図である。
【図３】図１に表した切断面Ａ−Ａにおける模式的断面図である。
【図４】本実施形態の照明装置の具体例を表す模式的斜視図である。
【図５】本実施形態の変形例にかかる光透過部が設けられたトイレ室を表す模式的斜視図である。
【図６】本実施形態の他の変形例にかかる光透過部が設けられたトイレ室を表す模式的斜視図である。
【図７】本変形例にかかる光透過部が設けられたトイレ室を表す模式的平面図である。
【図８】図６に表した切断面Ｂ−Ｂにおける模式的断面図である。
【図９】本実施形態の変形例にかかるケーシングを表す模式的断面図である。
【図１０】タンクがトイレ用キャビネットの内部に設けられた状態を表す模式的斜視図である。
【図１１】物品がトイレ用キャビネットの内部に設けられた状態を表す模式的斜視図である。
【図１２】タンクがトイレ用キャビネットの内部に設けられた状態を表す模式的平面図である。
【図１３】図１０に表した切断面Ｃ−Ｃにおける模式的断面図である。
【図１４】本実施形態の人体検知手段が無線信号を送信する具体例を説明する模式的斜視図である。
【発明を実施するための形態】
【００３３】
以下、本発明の実施の形態について図面を参照しつつ説明する。なお、各図面中、同様の構成要素には同一の符号を付して詳細な説明は適宜省略する。  
図１は、本実施形態にかかるトイレ装置が設置されたトイレ室を表す模式的斜視図である。  
図２は、本実施形態にかかるトイレ装置が設置されたトイレ室を表す模式的平面図である。  
図３は、図１に表した切断面Ａ−Ａにおける模式的断面図である。  
図４は、本実施形態の照明装置の具体例を表す模式的斜視図である。  
なお、図４に表した照明装置では、説明の便宜上、導光部を省略している。
【００３４】
図１および図２に表したトイレ室１０は、トイレ装置５０を備える。トイレ装置５０は、トイレ用キャビネット１００と、便器２１０と、衛生洗浄装置２２０と、を有する。  
便器２１０は、トイレ用キャビネット１００の前板１２０を介してトイレ用キャビネット１００の内部に設けられた支柱（図示せず）に支持されている。なお、便器２１０の設置形態は、これだけには限定されない。例えば、便器２１０は、トイレ室１０の床面１３に設置されていてもよい。
【００３５】
衛生洗浄装置２２０は、便器２１０の後方部に設けられている。衛生洗浄装置２２０は、トイレ室１０の壁１５に設けられた操作部２３０が送信する信号に基づいて、便器２１０に腰掛けた使用者の「おしり」などの人体局部を洗浄する。衛生洗浄装置２２０は、人体検知手段２２１を有する。人体検知手段２２１は、例えば赤外線信号を利用した焦電センサであり、トイレ室１０に入室した入室者を検知する。言い換えれば、人体検知手段２２１は、トイレ室１０への使用者の入室を検知する。人体検知手段２２１は、例えばドップラーセンサなどのマイクロ波センサであってもよい。マイクロ波のドップラー効果を利用したセンサや、マイクロ波を送信し反射したマイクロ波の振幅（強度）に基づいて被検知体を検出するセンサなどを人体検知手段２２１として用いた場合には、人体検知手段２２１は、トイレ室１０のドア越しに使用者の存在を検知することが可能となる。つまり、人体検知手段２２１は、トイレ室１０に入室する前の使用者を検知することができる。
【００３６】
なお、人体検知手段２２１は、衛生洗浄装置２２０に設けられていることには限定されず、例えばトイレ用キャビネット１００の前板１２０などに設けられていてもよい。
【００３７】
本願明細書においては、通常使用状態で便器２１０に腰掛けた使用者からみて前方を「前方」とし、通常使用状態で便器２１０に腰掛けた使用者からみて後方を「後方」とする。あるいは、便器２１０の方向を向いて便器２１０の前に立った使用者からみて手前側を「前方」とし、便器２１０の方向を向いて便器２１０の前に立った使用者からみて奥側を「後方」とする。また、通常使用状態で便器２１０に腰掛けた使用者からみて上方を「上方」とし、通常使用状態で便器２１０に腰掛けた使用者からみて下方を「下方」とする。
【００３８】
トイレ用キャビネット１００は、便器２１０の後方に設置されている。具体的には、トイレ用キャビネット１００は、便器２１０と、便器２１０の後方に設置されたトイレ室１０の壁１１と、の間に設けられている。トイレ用キャビネット１００は、天板１１０と、前板１２０と、光透過部１３０と、制御部１４０と、照明装置１５０と、を有する。天板１１０は、便器２１０の上方に設けられている。
【００３９】
天板１１０と、前板１２０と、トイレ用キャビネット１００の側方に設置されたトイレ室１０の壁１５と、により、トイレ用キャビネット１００の内部には空間が形成されている。あるいは、トイレ用キャビネット１００の内部の空間は、天板１１０と、前板１２０と、図示しない側板と、により形成されていてもよい。図１に表したように、扉１２５が前板１２０の側方に設けられていてもよい。例えば使用者は、扉１２５を開き、トイレットペーパーや掃除用具などをトイレ用キャビネット１００の内部に収納することができる。この詳細については、後述する。
【００４０】
図３に表したように、照明装置１５０は、天板１１０に設けられている。照明装置１５０は、トイレ用キャビネット１００の内部に設けられ、基板１５１と、光源１５３と、導光部１５５と、を有する。図３に表した例では、照明装置１５０は、天板１１０の内部に設けられている。
【００４１】
図４に表したように、例えば、照明装置１５０は、複数の光源１５３を有する。複数の光源１５３は、基板１５１の上に並んで配置されている。光源１５３としては、例えばＬＥＤ（light emitting diode）などが挙げられる。あるいは、光源１５３としては、例えば蛍光灯などのランプが挙げられる。光源１５３は、制御部１４０から送信された信号に基づいて光を放出する。
【００４２】
導光部１５５は、照明装置１５０が天板１１０に設けられた状態において、光源１５３の上に設けられている。導光部１５５は、光源１５３から放出された光を光源１５３からみて後方へ導く。導光部１５５としては、例えば導光棒や導光板などが挙げられる。但し、導光部１５５は、導光棒あるいは導光板には限定されず、光源１５３から放出された光を所定の方向へ導くものであればよい。導光部１５５の材料としては、例えばアクリルなどの樹脂が挙げられる。
【００４３】
光透過部１３０は、天板１１０の少なくとも一部に設けられている。光透過部１３０は、照明装置１５０が天板１１０に設けられた状態において、照明装置１５０の上に設けられている。図３に表した例では、光透過部１３０の上面１３１は、天板１１０の上面１１１と略同一面に存在する。つまり、光透過部１３０の上面１３１の上下方向の位置は、天板１１０の上面１１１の上下方向の位置と略同じである。光透過部１３０の前後方向の長さＤ１は、例えば約１０ミリメートル（ｍｍ）以上、２０ｍｍ以下程度である。但し、光透過部１３０の前後方向の長さＤ１は、これだけには限定されない。
【００４４】
光透過部１３０は、光源１５３から放出された光を透過させる。光透過部１３０の材料としては、例えばアクリルなどの樹脂が挙げられる。あるいは、光透過部１３０の材料は、いわゆるガラスであってもよい。光透過部１３０は、光拡散材を内部に有する。そのため、光源１５３から放出された光は、光透過部１３０を透過すると拡散する。なお、光透過部１３０は、光拡散材を内部に有することには限定されない。例えば、光拡散材が塗料として光透過部１３０の表面に設けられていてもよい。あるいは、例えば、光拡散材がフィルムとして光透過部１３０の表面に設けられていてもよい。あるいは、光透過部１３０は、光透過部１３０の表面の形状に基づいて光を拡散させてもよい。トイレ用キャビネット１００の外部からみたときの光透過部１３０の色は、例えば乳白色などである。
【００４５】
制御部１４０は、トイレ用キャビネット１００の内部に設けられ、人体検知手段２２１の検知結果に基づいて照明装置１５０を制御する。
【００４６】
ここで、トイレ室の全体が明るく照らされるだけでは、例えば夜中にトイレ室を利用する人が眩しさを感じ、その人の眠気が覚めるおそれがある。また、照明装置がトイレ用キャビネットの内部を照らすと、光による演出効果を得ることができないことがある。
【００４７】
これに対して、本実施形態にかかるトイレ用キャビネット１００の照明装置１５０は、例えば図２に表した矢印Ａ１〜Ａ５ように、前方側から後方側へ向かって天板１１０の上からトイレ用キャビネット１００の外側へ光を放出する。
【００４８】
本実施形態によれば、トイレ用キャビネット１００は、トイレ用キャビネット１００の上方に設置された壁１１の広い範囲を柔らかく照らすことができる。これにより、本実施形態の照明装置１５０とは異なる他の照明装置（図示せず）であって、天井付近に設置された他の照明装置が点灯していなくとも、トイレ用キャビネット１００は、トイレ用キャビネット１００の上方に設置された壁１１の広い範囲に略均一に光を広げ、トイレ室１０の略全体を間接的に照らすことができる。
【００４９】
これにより、夜間のトイレ室１０の使用時における眩しさを抑えることができる。そのため、夜中にトイレ室を利用する人の眠気が覚めることを抑えることができる。また、トイレ室１０の壁１１の広い範囲に照らされた光により、トイレ室１０の全体が柔らかく照らされるような間接照明の演出効果を得ることができる。
【００５０】
さらに、図２に表したように、照明装置１５０は、天板１１０の前後方向における中央Ｃ１からみて便器２１０の側（前方側）に設けられている。そのため、照明装置１５０から光透過部１３０を通してトイレ室１０の壁１１に照らされた光は、照明装置１５０が天板１１０の前後方向における中央Ｃ１からみて壁１１の側（後方側）に設けられた場合よりも広がる。そのため、トイレ用キャビネット１００は、トイレ用キャビネット１００の上方に設置された壁１１のより広い範囲を柔らかく照らすことができる。
【００５１】
また、照明装置１５０がトイレ用キャビネット１００の内部に設けられており、光透過部１３０の上面１３１が天板１１０の上面１１１と略同一面に存在するため、天板１１０の清掃性を向上させることができる。さらに、例えば装飾品などが天板１１０に置かれた場合には、照明装置１５０から光透過部１３０を通して放出された光が装飾品に当たる。これにより、より快適なトイレ室１０の空間を演出することができる。
【００５２】
図５は、本実施形態の変形例にかかる光透過部が設けられたトイレ室を表す模式的斜視図である。  
図５に表したトイレ用キャビネット１００ａは、複数の光透過部１３０ａを有する。複数の光透過部１３０ａのそれぞれの設置形態は、図３に関して前述した光透過部１３０の設置形態と同様である。つまり、光透過部１３０ａは、天板１１０の少なくとも一部に設けられている。また、光透過部１３０ａの上面は、天板１１０の上面１１１と略同一面に存在する。
【００５３】
複数の光透過部１３０ａのそれぞれの下方には、照明装置１５０が設けられている。つまり、図５に表したトイレ用キャビネット１００ａは、複数の照明装置１５０を有する。複数の照明装置１５０のそれぞれは、図２に関して前述したように、前方側から後方側へ向かって天板１１０の上からトイレ用キャビネット１００ａの外側へ光を放出する。あるいは、複数の照明装置１５０のうちの端部の照明装置１５０は、側方の側（例えば壁１５の側）へ向かって天板１１０の上からトイレ用キャビネット１００ａの外側へ光を放出してもよい。トイレ用キャビネット１００ａの他の構造は、図１〜図４に関して前述したトイレ用キャビネット１００の構造と同様である。
【００５４】
本変形例によれば、トイレ用キャビネット１００ａは、トイレ用キャビネット１００ａの上方に設置された壁１１の広い範囲に光を広げるとともに、壁１１に照らされた光の強さに箇所に応じて強弱を与えることができる。これにより、夜間のトイレ室１０の使用時における眩しさを抑えることができるとともに、間接照明の演出効果をより高めることができる。
【００５５】
図６は、本実施形態の他の変形例にかかる光透過部が設けられたトイレ室を表す模式的斜視図である。  
図７は、本変形例にかかる光透過部が設けられたトイレ室を表す模式的平面図である。  図８は、図６に表した切断面Ｂ−Ｂにおける模式的断面図である。  
図９は、本実施形態の変形例にかかるケーシングを表す模式的断面図である。  
図９は、図６に表した切断面Ｂ−Ｂにおける模式的断面図に相当する。
【００５６】
本変形例にかかるトイレ用キャビネット１００ｂは、天板１１０と、前板１２０と、光透過部１３０ｂと、ケーシング１３３ｂと、制御部１４０と、照明装置１５０と、を有する。
【００５７】
図８に表したように、照明装置１５０は、ケーシング１３３ｂの内部に設けられている。ケーシング１３３ｂは、天板１１０の上面１１１に設けられている。照明装置１５０は、トイレ用キャビネット１００ｂの外部に設けられ、基板１５１と、光源１５３と、を有する。本変形例では、照明装置１５０は、天板１１０の上に設けられている。具体的には、照明装置１５０は、ケーシング１３３ｂを介して天板１１０の上面１１１に載置されている。なお、本変形例では、照明装置１５０は、導光部を必ずしも有していなくともよい。本変形例の照明装置１５０は、図４に関して前述した通りである。
【００５８】
図７および図８に表したように、ケーシング１３３ｂは、傾斜部１３４ｂを有する。ケーシング１３３ｂの傾斜部１３４ｂの表面の法線は、トイレ用キャビネット１００ｂの上方に設置された壁１１を通る。図８に表したように、本変形例の光透過部１３０ｂは、ケーシング１３３ｂの傾斜部１３４ｂの少なくとも一部に設けられている。そのため、本変形例の光透過部１３０ｂは、天板１１０よりも上方に設けられている。また、光透過部１３０ｂの表面の法線は、トイレ用キャビネット１００ｂの上方に設置された壁１１を通る。
【００５９】
光透過部１３０ｂは、光源１５３から放出された光を透過させる。光透過部１３０ｂの材料は、図１〜図４に関して前述した光透過部１３０と同様である。また、光透過部１３０ｂが光を拡散させる性質は、図１〜図４に関して前述した光透過部１３０の性質と同様である。
【００６０】
一方で、ケーシング１３３ｂは、光源１５３から放出された光を反射する。ケーシング１３３ｂの材料としては、例えばアルミニウムなどの金属が挙げられる。あるいは、ケーシング１３３ｂの材料が樹脂であり、ケーシング１３３ｂの表面に例えばメッキなどの表面処理が施されていてもよい。そのため、光源１５３から放出された光は、ケーシング１３３ｂにより遮断され、ケーシング１３３ｂを透過することを抑制される。ケーシング１３３ｂで反射した光は、例えば複数回の反射を繰り返し、光透過部１３０ｂを透過してケーシング１３３ｂの外部へ放出される。
【００６１】
光透過部１３０ｂの表面の法線がトイレ室１０の壁１１を通るため、本変形例の照明装置１５０は、例えば図７に表した矢印Ａ１〜Ａ５ように、前方側から後方側へ向かって天板１１０の上からトイレ用キャビネット１００ｂの外側へ光を放出する。トイレ用キャビネット１００ｂの他の構造は、図１〜図４に関して前述したトイレ用キャビネット１００の構造と同様である。
【００６２】
本変形例によれば、照明装置１５０は、より確実に、前方側から後方側へ向かって天板１１０の上からトイレ用キャビネット１００ｂの外側へ光を放出することができる。そのため、トイレ用キャビネット１００ｂは、トイレ用キャビネット１００ｂの上方に設置された壁１１の広い範囲をより確実に柔らかく照らすことができる。これにより、トイレ用キャビネット１００ｂは、より確実に、トイレ用キャビネット１００ｂの上方に設置された壁１１の広い範囲に略均一に光を広げ、トイレ室１０の略全体を間接的に照らすことができる。また、図１〜図４に関して前述したトイレ用キャビネット１００の効果と同様の効果が得られる。
【００６３】
図９に表したように、照明装置１５０は、天板１１０の内部に設けられていてもよい。この場合には、ケーシング１３５ｂの下部は、開放されている。ケーシング１３５ｂは、図８に表したケーシング１３３ｂと同様に、天板１１０の上面１１１に設けられている。ケーシング１３５ｂの材料は、図８に表したケーシング１３３ｂと同様である。図９に表した光透過部１３０ｂは、ケーシング１３５ｂの傾斜部１３６ｂの少なくとも一部に設けられている。図９に表した照明装置１５０の設置形態によれば、図８に表した照明装置１５０の設置形態と比較して、ケーシング１３５ｂを小型化することができる。これにより、ケーシング１３５ｂの高さを抑え、天板１１０の上面１１１から突出したケーシング１３５ｂのデザインをすっきりとすることができる。
【００６４】
次に、本実施形態にかかるトイレ用キャビネットの内部に設けられたタンクについて、図面を参照しつつ説明する。  
図１０は、タンクがトイレ用キャビネットの内部に設けられた状態を表す模式的斜視図である。  
図１１は、物品がトイレ用キャビネットの内部に設けられた状態を表す模式的斜視図である。  
図１２は、タンクがトイレ用キャビネットの内部に設けられた状態を表す模式的平面図である。  
図１３は、図１０に表した切断面Ｃ−Ｃにおける模式的断面図である。
【００６５】
図１０に表したように、本実施形態にかかるトイレ用キャビネット１００の内部には、タンク１６０が設けられている。タンク１６０は、便器２１０に供給される洗浄水を貯留する。  
図１１に表したように、例えば使用者は、扉１２５を開くと、トイレットペーパー２８１や、掃除用具２８３、２８５、２８７、２８９などをトイレ用キャビネット１００の内部に収納することができる。  
タンク１６０および収納に関する説明は、図５に関して前述したトイレ用キャビネット１００ａ、および図６〜図９に関して前述したトイレ用キャビネット１００ｂについても同様である。
【００６６】
図１３に表したように、ケーシング１３５ｂは、天板１１０の上面１１１に設けられている。ケーシング１３５ｂは、図９に関して前述したケーシング１３５ｂと同様である。光透過部１３０ｂは、ケーシング１３３ｂの傾斜部１３６ｂの少なくとも一部に設けられている。光透過部１３０ｂは、図８に関して前述した光透過部１３０ｂと同様である。
【００６７】
図１３に表した例では、照明装置１５０は、トイレ用キャビネット１００の内部に設けられている。具体的には、支持体１７０が天板１１０の下面１１３に設けられている。支持体１７０は、底部１７１と側部１７３とを有し、箱状を呈する。照明装置１５０は、支持体１７０に支持され、支持体１７０を介して天板１１０の下面に固定されている。つまり、照明装置１５０は、天板１１０の下に設けられている。
【００６８】
図１３に表したように、支持体１７０は、側部１７３に設けられた孔１７５を有する。これにより、図１３に表した矢印Ａ１４〜Ａ１６のように、光源１５３から放出された光は、支持体１７０の孔１７５を通り、支持体１７０の外部へ向かうことができる。また、光源１５３から放出された光は、天板１１０に設けられた孔１１８を通り、光透過部１３０ｂを透過することができる。これは、図８および図９に関して前述した通りである。
【００６９】
本実施形態によれば、図１２に表した矢印Ａ１１〜Ａ１３のように、天板１１０が開いた状態において、照明装置１５０は、トイレ用キャビネット１００の内部を照らすことができる。これにより、トイレ用キャビネット１００の内部に設けられたタンク１６０のメンテナンスなどの作業性を向上させることができる。
【００７０】
図１４は、本実施形態の人体検知手段が無線信号を送信する具体例を説明する模式的斜視図である。  
図１〜図４に関して前述したように、操作部２３０は、トイレ室１０の壁１５に設けられている。操作部２３０は、例えば使用者などが操作した内容に基づく無線信号を衛生洗浄装置２２０に送信する。  
また、衛生洗浄装置２２０は、人体検知手段２２１の検知結果に基づく無線信号を制御部１４０に送信する。
【００７１】
制御部１４０は、衛生洗浄装置２２０から送信された人体検知手段２２１の検知結果の無線信号に基づいて、照明装置１５０を制御する。例えば、制御部１４０は、照明装置１５０から放出される光の照度および光の色度の少なくともいずれかを時間帯に応じて変更することができる。例えば、制御部１４０は、昼の時間帯では、天井付近に設置された他の照明装置が点灯していても、本実施形態の照明装置１５０から放出される光が栄えるように照度および色度の少なくともいずれかを調整する。あるいは、例えば、制御部１４０は、夜の時間帯では昼の時間帯と比較して、本実施形態の照明装置１５０から放出される光の照度を低下させる。
【００７２】
本実施形態によれば、制御部１４０が人体検知手段２２１の検知結果の無線信号に基づいて照明装置１５０を制御するため、配線により見栄えが低下することを抑えることができる。また、大掛かりな工事が必要となることを抑えることができる。さらに、制御部１４０が光の照度および光の色度の少なくともいずれかを時間帯に応じて変更することができるため、より上質な空間を演出することができる。
【００７３】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、トイレ用キャビネット１００、１００ａ、１００ｂなどが備える各要素の形状、寸法、材質、配置などや光透過部１３０、１３０ａ、１３０ｂおよび照明装置１５０の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００７４】
１０ トイレ室、  １１ 壁、  １３ 床面、  １５ 壁、  ５０ トイレ装置、  １００、１００ａ、１００ｂ トイレ用キャビネット、  １１０ 天板、  １１１ 上面、  １１３ 下面、  １１８ 孔、  １２０ 前板、  １２５ 扉、  １３０、１３０ａ、１３０ｂ 光透過部、  １３１ 上面、  １３３ｂ ケーシング、  １３４ｂ 傾斜部、  １３５ｂ ケーシング、  １３６ｂ 傾斜部、  １４０ 制御部、  １５０ 照明装置、  １５１ 基板、  １５３ 光源、  １５５ 導光部、  １６０ タンク、  １７０ 支持体、  １７１ 底部、  １７３ 側部、  １７５ 孔、  ２１０ 便器、  ２２０ 衛生洗浄装置、  ２２１ 人体検知手段、  ２３０ 操作部、  ２８１ トイレットペーパー、  ２８３、２８５、２８７、２８９ 掃除用具
【図１】
2017000572.tif 000003
【図２】
2017000572.tif 000004
【図３】
2017000572.tif 000005
【図４】
2017000572.tif 000006
【図５】
2017000572.tif 000007
【図６】
2017000572.tif 000008
【図７】
2017000572.tif 000009
【図８】
2017000572.tif 000010
【図９】
2017000572.tif 000011
【図１０】
2017000572.tif 000012
【図１１】
2017000572.tif 000013
【図１２】
2017000572.tif 000014
【図１３】
2017000572.tif 000015
【図１４】
2017000572.tif 000016